(57)【特許請求の範囲】
【請求項１】
予め分類されたジャンルに対応する施設情報を記憶する施設情報記憶手段と、
該施設情報記憶手段に基づくジャンル名を表示するジャンル表示手段と、
該ジャンル表示手段により表示されたジャンル名の中から所望のジャンルを選択するジャンル選択手段と、
該ジャンル選択手段により選択されたジャンルに属する施設の名称を表示する施設表示手段と、
該施設表示手段により表示された施設名から所望の施設を選択する施設選択手段と、
該施設選択手段により最終的に所望施設が選択されるまでに、該所望施設が属するジャンル以外に選択されたジャンルを記憶するジャンル記憶手段と、
該所望施設を該ジャンル記憶手段に記憶されたジャンルに関連付ける関連付け手段とを備え、
前記施設表示手段は、前記施設情報記憶手段および該関連付け手段に基づいて施設名を表示することを特徴とするナビゲーション装置。
【請求項２】
地域名を表示する地域表示手段と、
該地域表示手段により表示された地域名から所望地域を選択する地域選択手段とをさらに備え、
前記施設表示手段は、前記ジャンル選択手段により選択されたジャンルに属し、かつ該地域選択手段により選択された地域に所在する施設名を表示することを特徴とする請求項１に記載のナビゲーション装置。
【請求項３】
前記施設選択手段により選択された所望施設を前記ジャンル記憶手段に関連付けるか否かを判定する判定手段をさらに備え、
前記関連付け手段は、該判定手段の結果に基づいて関連付けを行うことを特徴とする請求項１または２に記載のナビゲーション装置。
【発明の詳細な説明】
【０００１】
【発明の属する技術分野】
本発明は、主に車載用のナビゲーション装置に係り、特にジャンルから所望の施設を検索するジャンル別施設検索機能を備えたナビゲーション装置に関する。
【０００２】
【従来の技術】
予め分類されたジャンルから所望する施設を検索できるジャンル別施設検索機能を備えたナビゲーション装置が従来から一般的に知られている。このナビゲーション装置では、ユーザーがこの検索機能を選択すると、初めに複数のジャンルを画面上に表示して、ユーザーが該当すると思われるジャンルを選択すると、次にその選択されたジャンルに属する施設名を表示するようになっている。
【０００３】
図５は、従来のナビゲーション装置におけるジャンル別施設検索の一例を示した図であり、ここではユーザーが「東京ドーム」を検索する場合を例としている。ナビゲーション装置のリモコン等を使用して、ジャンル別施設検索機能を起動させると、ナビゲーション装置に備えられたディスプレイ装置の画面ＤＳＰ上には、（ａ）図に示すように、予めジャンルによって分類されたジャンル名リストＧＬが表示される。なお、一画面内に表示されないジャンル名は上下スクロールにより表示可能になっている。
【０００４】
ここで、「東京ドーム」が属すると思われるジャンル「競技場」を選択すると、ディスプレイ装置の画面ＤＳＰ上には、（ｂ）図に示すように、所望の施設が所在する地域（例えば行政区域）を絞り込むための地域名リストＡＬが表示される。ここでもまた、一画面内に表示されない地域名は上下スクロールにより表示可能になっている。
【０００５】
そこで、「東京ドーム」が所在すると思われる地域「東京都」を選択すると、次に画面ＤＳＰ上には、（ｃ）図に示すように、ジャンルが「競技場」に属し東京都内に所在する全施設の名称を示す施設名リストＥＬが表示される。この施設名リストＥＬのリスト表示により、ユーザーは容易に所望の施設である「東京ドーム」を見つけ出すことができ、さらには「東京ドーム」の項目を選択することで、「東京ドーム」を目的地に設定したり地点登録したりすることができる。
【０００６】
つまり、このジャンル別施設検索機能は、ユーザーが予め分類されたジャンルの中から該当すると思われるジャンルを指定することによって、その指定したジャンルに属する施設だけに絞り込むことができ、所望する施設の捜索を容易にしたものである。
【０００７】
【発明が解決しようとする課題】
ところで、上述したナビゲーション装置において、各々のジャンルに属する施設は、各ジャンルと一対一の関係で関連付けられているのが一般である。例えば、「東京ドーム」であれば「競技場」のジャンルに、「横浜アリーナ」であれば「イベントホール」のジャンルに、という様に施設とジャンルは一対一の関係で対応しており、別な言い方をすれば、施設が属するジャンルは１つに設定されているのである。
【０００８】
しかしながら、各施設がどのジャンルに属するかという分類の仕方は、その施設情報に関するデータベースを作成した者の分類基準によって行われる。そのため、施設の分類基準がデータベース作成者とユーザーとで異なる場合があり、特に一般的なジャンル（コンビニやガソリンスタンド等）でない場合、ユーザーが選択したジャンルから所望の施設を見つけ出すことができないといったことがある。
【０００９】
例えば、あるユーザーが、「東京ドーム」は「野球場」のジャンルに該当すると思って「野球場」のジャンルを検索するが、実際には「東京ドーム」は「競技場」のジャンルに分類されているため、「野球場」のジャンルでは「東京ドーム」の項目を見つけ出すことができず、他に該当しそうなジャンル（ここでは「競技場」）を検索して「東京ドーム」の項目を見つけ出すといった場合であり、結局ユーザーは所望の施設を検索するまでに時間がかかってしまう問題があった。
【００１０】
また、一度上述した検索操作をして所望の施設を見つけ出したとしても、再度同じ施設を検索する時、ユーザーはその施設と属するジャンルの関係をその検索時まで覚えていなければならず、忘れてしまうと結局以前と同じ検索操作をしてしまい、該施設を検索するのに時間がかかってしまうという問題があった。
【００１１】
以上から本発明の目的は、ジャンル別施設検索において、所望の施設を見つけ出すまでに選択してきたジャンルを記憶し、該所望施設をその選択してきたジャンルにも関連付けて、次回の検索からは、以前に選択したジャンルからでも該所望施設を検索することができるようにしたナビゲーション装置を提供することにある。
【００１２】
【課題を解決するための手段】
上記課題は本発明によれば、予め分類されたジャンルに対応する施設情報を記憶する施設情報記憶手段と、該施設情報記憶手段に基づくジャンル名を表示するジャンル表示手段と、該ジャンル表示手段により表示されたジャンル名の中から所望のジャンルを選択するジャンル選択手段と、該ジャンル選択手段により選択されたジャンルに属する施設の名称を表示する施設表示手段と、該施設表示手段により表示された施設名から所望の施設を選択する施設選択手段と、該施設選択手段により最終的に所望施設が選択されるまでに、該所望施設が属するジャンル以外に選択されたジャンルを記憶するジャンル記憶手段と、該所望施設を該ジャンル記憶手段に記憶されたジャンルに関連付ける関連付け手段とを備え、前記施設表示手段は、前記施設情報記憶手段および該関連付け手段に基づいて施設名を表示することによって解決される。
これにより、ユーザーは施設とジャンルとの関連付けについて全て覚えていなくても、次回の検索からは、ユーザーの分類基準でジャンルを選択しても、所望する施設を容易に探し出すことができる。
【００１３】
また、上記課題は本発明によれば、地域名を表示する地域表示手段と、該地域表示手段により表示された地域名から所望地域を選択する地域選択手段とをさらに備え、前記施設表示手段は、前記ジャンル選択手段により選択されたジャンルに属し、かつ該地域選択手段により選択された地域に所在する施設名を表示することによって解決される。
これにより、施設名を表示する際、さらにユーザーによって選択された地域に所在する施設だけに絞り込むことができるので、所望施設の捜索を容易にすることができる。
【００１４】
また、上記課題は本発明によれば、前記施設選択手段により選択された所望施設を前記ジャンル記憶手段に関連付けるか否かを判定する判定手段をさらに備え、前記関連付け手段は、該判定手段の結果に基づいて関連付けを行うことによって解決される。
これにより、最終的に選択した施設をこれまで選択してきたジャンルに関連付けるか否かをユーザーの選択によって決定することができるので、施設情報に関するデータベースをよりユーザーの分類基準に合わせたものにすることができる。
【００１５】
【発明の実施の形態】
（Ａ）本発明の概略
図１は本発明の概略を説明する図である。まず前提として、ナビゲーション装置の施設情報のデータベースでは、「東京ドーム」は「競技場」のジャンルに属し、ユーザーがジャンル別施設検索で「東京ドーム」を見つけ出すまでに、「野球場」、「スポーツ施設」、「球技場」の３つのジャンルを選択してきて、最後に「競技場」のジャンルでやっと「東京ドーム」を見つけ出して、「東京ドーム」の項目を選択したものとする。
【００１６】
ナビゲーション装置は、「東京ドーム」の項目が選択されるまでに、選択されてきたジャンルをメモリ等に記憶しておき、最終的に「東京ドーム」が選択されたとき、（ａ）図に示すように、ナビゲーション装置のディスプレイ画面ＤＳＰ１に、最終的に選択した「東京ドーム」をこれまで選択してきたジャンル「野球場」、「スポーツ施設」、「球技場」に関連付けるか否かを質問するメニューＭＮ１とその可否を選択するためのメニューＭＮ２を表示する。
【００１７】
ここで、ユーザーによって「いいえ」が選択された場合は、関連付ける作業には入らず、「はい」が選択された場合は、（ｂ）図に示すように、ディスプレイ画面ＤＳＰ２に、最終的に選択された施設名ＥＮと最終的に施設を選択するまでに選択してきたジャンルＧＥ、施設ＥＮをジャンルＧＥに関連付けるか否かを問うメニューＭＮ３、その可否を選択するためのメニューＭＮ４を表示する。
【００１８】
（ｂ）図において、「いいえ」が選択された場合は、関連付けは行わずこの作業は終了するが、「はい」が選択されたときには、ナビゲーション装置は施設ＥＮを表示されているジャンルＧＥに関連付ける。つまり、「東京ドーム」を「競技場」のジャンルではもちろんのこと、「野球場」、「スポーツ施設」、「球技場」のジャンルでも表示されるようにする。こうすることにより、次回の検索からは、ユーザーの分類基準によってジャンルを選択しても所望の施設を見つけ出すことができる。
【００１９】
（Ｂ）ナビゲーション装置の構成
図２は、本発明一実施形態のナビゲーション装置の構成図である。１０はナビゲーションコントローラ、２０は地図データや道路データ、施設情報に関するデータベース等の各種情報を記憶するＤＶＤ−ＲＯＭ等のＲＯＭディスクであり、施設情報に関しては後述する施設情報テーブルとジャンル別施設番号テーブルから構成される。３０は地図や誘導経路、各種メニュー画面等を表示するディスプレイ装置、４０はナビゲーションコントローラ１０に対して各種指令の入力を行う操作部（例えば、上下左右傾倒可能なジョイスティックキーを備えたリモコン装置等）、５０は衛星からの電波を受信して自車両の現在位置と方位を測定するＧＰＳ受信機、６０は自立航法用センサーである。
【００２０】
ＧＰＳ受信機５０は、３次元測位あるいは２次元測位処理を行って車両の位置、方位を計算しこれらを測位時刻とともに出力する。自立航法用センサー６０は、図示しないが、車両の回転角度を検出する振動ジャイロ等の相対方位センサー（角度センサー）、所定走行距離毎に１個のパルスを発生する距離センサーを備えている。
【００２１】
ナビゲーションコントローラ１０において、１１はナビゲーションコントローラ１０全体を制御するプロセッサ（ＣＰＵ）であり、各部に対する制御や指示、操作部４０からの入力に対する判断等はここで処理される。１２はジャンルによる施設探索や電話番号による地点検索、自車位置から目的地までの誘導経路探索等の各種プログラムを記憶するＲＯＭ、１３は各処理の結果やジャンル別施設検索において、最終的に所望の施設が選択されるまでに、選択されたジャンルの履歴を記憶するＲＡＭ、１４はジャンル別施設検索において、最終的に選択された施設とＲＡＭ１３に記憶されたジャンルの関連付けを記憶する追加施設番号テーブル（後述）が構成される関連付け記憶部であり、書き換え可能で電源を切っても情報が消去されないフラッシュメモリ等のＥＥＰＲＯＭで構成されるのが望ましい。
【００２２】
１５はＲＯＭディスク制御部であり、必要に応じてＲＯＭディスク２０より所定の地図データや施設情報、各種情報を読み出し、読み出された各種情報はＲＡＭ１３に格納される。例えば、地図データにおいては地図スクロールができるように、自車位置あるいはカーソル位置周辺の複数枚（複数ユニット）の地図データが読み出される。
【００２３】
１６はＲＡＭ１３に格納された地図データ、施設情報等の各種情報を用いて自車位置周辺の地図画像、メニュー画面等の描画作成を行う表示制御部であり、ジャンル別施設検索時の画面については、ＲＯＭディスク２０に記憶される施設情報と関連付け記憶部１４に記憶されるジャンル履歴に基づいて作成される。
【００２４】
１７はユーザーによる操作部４０の操作に応じた信号を受信してＣＰＵ１１へ送信するインターフェース（Ｉ／Ｆ）、１８はＧＰＳ受信機５０のＧＰＳデータと自立航法用センサー６０の出力データに基づいて車両位置、車両方位を計算する位置測定部である。
【００２５】
（Ｃ）施設情報のデータ構成
図３は、施設情報に関するデータ構成の一例を示した図であり、施設情報に関するデータベースは（ａ）図に示す施設情報テーブルと、（ｂ）図に示すジャンル別施設番号テーブルと、（ｃ）図に示す追加施設番号テーブルから構成される。ここで、（ａ）図の施設情報テーブルと（ｂ）図に示すジャンル別施設番号テーブルは、大容量のデータを記憶できる媒体（ここではＲＯＭディスク２０）に構成され、（ｃ）図の追加施設番号テーブルはデータの書き換え可能な不揮発性の媒体（ここでは関連付け記憶部１４）に構成されるのが望ましいが、本発明のデータ構成についてはこの例だけに限定されない。
【００２６】
（ａ）図の施設情報テーブルは、各施設毎に施設番号ＥＮＲが付与され、施設詳細情報として施設の名称を示す施設名ＥＮＥ、施設の所在場所を示す住所ＡＤ、その施設の電話番号ＴＥＬ、地図上での絶対位置を示す経緯度ＬＬ、その施設を示すランドマークデータＲＭ等が記憶される。
【００２７】
（ｂ）図のジャンル別施設番号テーブルは、各ジャンル（例えばコンビニやガソリンスタンド等）毎にそのジャンルに属する施設の施設番号が記憶され、施設情報テーブルの施設番号ＥＮＲとリンクするようになっている。さらに、ジャンル別施設番号テーブルの最後の各テーブルには、各ジャンル毎に施設（施設番号）を追加するための専用アドレス、後述する追加施設番号テーブルにリンクする追加施設番号記憶域アドレスＡＡが記憶されている。
【００２８】
（ｃ）図の追加施設番号テーブルは、ジャンル別施設番号テーブルに記憶された各々の追加施設番号記憶域アドレスＡＡ毎に、本発明によってそのジャンルに関連付けられた施設（施設番号）が記憶される。例えば、ジャンルＢに属する施設番号２と１０の施設が、ジャンルＡの追加施設番号テーブル（アドレス１０００）に記憶されることによって、ジャンルＡに属する施設として関連付けすることができるようになる。
【００２９】
（Ｄ）施設とジャンルの関連付け処理
図４は、本発明のジャンル別施設検索における施設とジャンルの関連付け処理の一例を示すフローチャートである。まずユーザーが操作部４０を操作してジャンル別施設検索機能を選択することによって、ナビゲーションコントローラ１０のＣＰＵ１１は、表示制御部１６に対して画面作成の指示を出す。この指示により表示制御部１６は、図５（ａ）で示したように、予めジャンルによって分類されたジャンルリストＧＬからなる画面を作成し、その作成した画面をディスプレイ装置３０に表示する。これよりナビゲーション装置はジャンル別施設検索を開始する（ステップ１０１）。
【００３０】
次に、ＣＰＵ１１はユーザーによる操作部４０の操作によってジャンルが選択されたか否かを判定し（ステップ１０２）、ジャンルが選択されたならば、その選択されたジャンルをＲＡＭ１３に記憶する（ステップ１０３）。ついで、ＣＰＵ１１は引き続きユーザーの操作によって所望の施設が選択されたか否かを判定し（ステップ１０４）、所望施設が選択されたならば、最後にＲＡＭ１３に記憶したジャンルを消去する（ステップ１０５）。つまり、所望施設が選択された時のジャンルは、予めデータベースにおいて該施設に対応付けられているジャンルであり、ここで新たに関連付ける必要性はないので、所望施設が選択された時のジャンルはＲＡＭ１３より消去する。
【００３１】
ステップ１０２においてジャンルが選択されていない場合、ステップ１０４において所望の施設が選択されていない場合は、ＣＰＵ１１はユーザーからの入力によってジャンル別施設検索を終了したか否かを判定し（ステップ１０６）、終了した場合は本処理を終了し、終了していない場合はステップ１０２に戻って以降の処理を継続する。
【００３２】
ステップ１０５において最後に記憶したジャンルをＲＡＭ１３より消去したら、ＣＰＵ１１はその選択された所望施設をＲＡＭ１３に記憶されているジャンルに関連付けするか否かの画面作成を、表示制御部１６に対して指示する。表示制御部１６はこの指示により、図１（ａ）で示したようなメニュー画面ＭＮ１、ＭＮ２を作成してディスプレイ装置３０に表示する（ステップ１０７）。
【００３３】
メニュー画面が表示されたら、ＣＰＵ１１はユーザーの操作（例えば、リモコン装置に備えるジョイスティックキーの左右操作および押下操作）によって、メニュー画面ＭＮ２の「はい」の項目が選択されたか否かを判定する（ステップ１０８）。「はい」の項目が選択されたならば、ＣＰＵ１１はＲＡＭ１３に記憶してあるジャンルの履歴を読み出すとともに、表示制御部１６に対して画面作成を指示する。表示制御部１６は図１（ｂ）で示したように、選択された所望施設の施設名ＥＮとＲＡＭ１３から読み出されたジャンル名ＧＥ、最終的に該施設をそれらのジャンルに関連付けるか否かを問うメニュー画面ＭＮ３、ＭＮ４を作成し、ディスプレイ装置３０に表示する（ステップ１０９）。
【００３４】
次に、ＣＰＵ１１はユーザーによってメニュー画面ＭＮ４の「はい」の項目が選択されたか否かを判定し（ステップ１１０）、選択されたならば該所望施設をそれら表示されたジャンルに関連付ける（ステップ１１１）。具体的には、図３で示したように、（ｂ）図に示すジャンル別施設番号テーブルにおいて、各関連付けるジャンルに対応する追加施設番号記憶域アドレスＡＡ、すなわち関連付け記憶部１４に構築された（ｃ）図の各追加施設番号テーブルに、ユーザーによって最終的に選択された所望施設に対応する施設番号を記憶する。
【００３５】
その後、ＣＰＵ１１はＲＯＭディスク制御部１５を介してその選択された所望施設を中心とする周辺地図のデータをＲＯＭディスク２０より読み出す。表示制御部１６は、読み出された地図データに基づいて該周辺地図を作成し、ディスプレイ装置３０に表示する（ステップ１１２）。また、ステップ１０８、１１０において「いいえ」が選択された場合については、関連付けの作業は行わず上述同様に所望施設周辺の地図をディスプレイ装置３０に表示する。この後、ユーザーは該施設を目的地に設定したり、登録地点として登録することができる。
【００３６】
また、以上の実施例の説明では、ステップ１０９において選択された施設を、表示されたジャンル（ＲＡＭ１３に記憶されたジャンル）全てに関連付けるようにしたが、例えばこの画面で表示されているジャンルを、さらにユーザーが所望するジャンルだけに選択できるようにして、その選択されたジャンルに該施設を関連付けるようにすることも容易にできる。
【００３７】
以上、本発明に係る実施例を説明したが、本発明は請求の範囲に記載した本発明の主旨に従い種々の変形が可能であり、本発明はこれらを排除するものではない。
【００３８】
【発明の効果】
以上本発明によれば、ナビゲーション装置のジャンル別施設検索において、いろいろなジャンルを検索して所望の施設を見つけ出したとき、該施設を検索してきたジャンルにも関連付けるようにしたので、次回の検索からは、ユーザーの分類基準によって選択されたジャンルでも該施設を見つけ出すことができるようになり、その結果、所望施設を見つけ出す時間を短縮することができる。
【図面の簡単な説明】
【図１】本発明の概略を説明する図である。
【図２】本発明の一実施形態を示すナビゲーション装置の構成図である。
【図３】本発明の施設情報に関するデータ構成の一例を示す図である。
【図４】本発明のジャンル別施設検索における施設とジャンルの関連付け処理の一例を示すフローチャートである。
【図５】従来のナビゲーション装置におけるジャンル別施設検索の一例を示した図である。
【符号の説明】
１０：  ナビゲーションコントローラ
１１：  ＣＰＵ
１２：  ＲＯＭ
１３：  ＲＡＭ
１４：  関連付け記憶部
１５：  ＲＯＭディスク制御部
１６：  表示制御部
１７：  Ｉ／Ｆ
１８：  位置測定部
２０：  ＲＯＭディスク
３０：  ディスプレイ装置
４０：  操作部
５０：  ＧＰＳ受信機
６０：  自立航法用センサー
ＤＳＰ，ＤＳＰ１，ＤＳＰ２：  ディスプレイ画面
ＭＮ１，ＭＮ２，ＭＮ３，ＭＮ４：  メニュー
ＥＮ，ＥＮＥ：  施設名
ＧＥ：  ジャンル
ＥＮＲ：  施設番号
ＡＤ：  住所
ＴＥＬ：  電話番号
ＬＬ：  経緯度
ＲＭ：  ランドマークデータ
ＡＡ：  追加施設番号記憶域アドレス
ＧＬ：  ジャンル名リスト
ＡＬ：  地域名リスト
ＥＬ：  施設名リスト
【図１】
0004132724.tif 000002
【図２】
0004132724.tif 000003
【図３】
0004132724.tif 000004
【図４】
0004132724.tif 000005
【図５】
0004132724.tif 000006